(57)【要約】【課題】  本発明は、図柄の表示領域を無端ベルトの幅寸法にまで広げることができ、デザイン性に資することができるパチンコ機等の遊技装置およびその図柄表示装置を得るにある。【解決手段】  ベース板に透孔を形成し、該透孔を介して前面より見える部位に図柄表示装置を備えたパチンコ機等の遊技装置において、前記図柄表示装置を、外周部の一部に所定間隔離間されて複数の係合凹部あるいは係合孔が形成された駆動ドラムと、この駆動ドラムに従動することができる従動ドラムと、この従動ドラムと前記駆動ドラムにかけ渡された、前記駆動ドラムの係合凹部あるいは係合孔と係合する係合突起が内周部に形成された、外周部に図柄表示部を有する無端ベルトと、前記駆動ドラムを回転駆動させる駆動装置とでパチンコ機等の遊技装置を構成している。【選択図】  図２
2005176999.tif 000002
【特許請求の範囲】
【請求項１】
ベース板に透孔を形成し、該透孔を介して前面より見える部位に図柄表示装置を備えたパチンコ機等の遊技装置において、前記図柄表示装置を、外周部の一部に所定間隔離間されて複数の係合凹部あるいは係合孔が形成された駆動ドラムと、この駆動ドラムに従動することができる従動ドラムと、この従動ドラムと前記駆動ドラムにかけ渡された、前記駆動ドラムの係合凹部あるいは係合孔と係合する係合突起が内周部に形成された、外周部に図柄表示部を有する無端ベルトと、
前記駆動ドラムを回転駆動させる駆動装置とで構成したことを特徴とするパチンコ機等の遊技装置。
【請求項２】
ベース板に透孔を形成し、該透孔を介して前面より見える部位に図柄表示装置を備えたパチンコ機等の遊技装置において、前記図柄表示装置を、前記ベース板の裏面に回転可能に取付けられた回転体と、この回転体の前面が前記透孔に位置すると、該透孔を介して見ることができるように取付けられた、外周部の一部に所定間隔離間されて複数の係合凹部あるいは係合孔が形成された駆動ドラム、この駆動ドラムに従動することができる従動ドラム、この従動ドラムと前記駆動ドラムにかけ渡された、前記駆動ドラムの係合凹部あるいは係合孔と係合する係合突起が内周部に形成された、外周部に図柄表示部を有する無端ベルトとを備えるスロット装置と、前記回転体の平面あるいは底面のいずれかが前記透孔に位置すると、該透孔を介して見ることができるように取付けられた、前記スロット装置とは異なる第２のスロット装置と、前記回転体の裏面が前記透孔に位置すると、該透孔を介して見ることができるように取付けられた、前記スロット装置および前記第２のスロット装置とは異なる第３のスロット装置と、前記回転体をあらかじめ設定された部位に回転させる回転装置とで構成したことを特徴とするパチンコ機等の遊技装置。
【請求項３】
外周部の一部に所定間隔離間されて複数の係合凹部あるいは係合孔が形成された駆動ドラムと、この駆動ドラムに従動することができる従動ドラムと、この従動ドラムと前記駆動ドラムにかけ渡された、前記駆動ドラムの係合凹部あるいは係合孔と係合する係合突起が内周部に形成された、外周部に図柄表示部を有する無端ベルトと、前記駆動ドラムを回転駆動させる駆動装置とからなることを特徴とするパチンコ機等の遊技装置の図柄表示装置。
【請求項４】
パチンコ機等の遊技装置のベース板の透孔が形成された部位の裏面に回転可能に取付けられた回転体と、この回転体の前面が前記透孔に位置すると、該透孔を介して見ることができるように取付けられた、外周部の一部に所定間隔離間されて複数の係合凹部あるいは係合孔が形成された駆動ドラム、この駆動ドラムに従動することができる従動ドラム、この従動ドラムと前記駆動ドラムにかけ渡された、前記駆動ドラムの係合凹部あるいは係合孔と係合する係合突起が内周部に形成された、外周部に図柄表示部を有する無端ベルトとを備えるスロット装置と、前記回転体の平面あるいは底面のいずれかが前記透孔に位置すると、該透孔を介して見ることができるように取付けられた、前記スロット装置とは異なる第２のスロット装置と、前記回転体の裏面が前記透孔に位置すると、該透孔を介して見ることができるように取付けられた、前記スロット装置および前記第２のスロット装置とは異なる第３のスロット装置と、前記回転体をあらかじめ設定された部位に回転させる回転装置とで構成したことを特徴とするパチンコ機等の遊技装置の図柄表示装置。
【請求項５】
無端ベルトは一側部あるいは一側部寄りの部位に係合突起が形成されていることを特徴とする請求項１、２、３あるいは４に記載のパチンコ機等の遊技装置およびその図柄表示装置。
【発明の詳細な説明】
【技術分野】
【０００１】
本発明は、パチンコ機等の遊技装置およびその図柄表示装置に関する。
【背景技術】
【０００２】
従来、スロット装置を備えたパチンコ機等の遊技装置において、当該スロット装置は、両側部に所定間隔離間されて複数の係合突起が形成された駆動ドラムと、この駆動ドラムに従動することができる従動ドラムと、この従動ドラムと前記駆動ドラムにかけ渡された、前記駆動ドラムの係合突起と係合する係合孔が形成された、外周部に図柄表示部を有する無端ベルトとを備えたものが用いられ、これにより、無端ベルトの停止位置のズレを防止し、図柄が不揃いになる不具合を回避するように構成されている。
【０００３】
しかしながら、従来の装置では、無端ベルトの停止位置のズレを防止することはできるものの、無端ベルトの左右両側部に形成された係合孔が見苦しくなるとともに、図柄の表示領域が狭くなるので、デザイン性が損なわれ、遊技の興趣が減殺されてしまうという欠点があった。
【特許文献１】特開２００２−２５３７８２
【発明の開示】
【発明が解決しようとする課題】
【０００４】
本発明は以上のような従来の欠点に鑑み、外周部の一部に所定間隔離間されて複数の係合凹部あるいは係合孔が形成された駆動ドラムと、この駆動ドラムの係合凹部等と係合する係合突起を内周部に形成した無端ベルトとで図柄を回転表示させるように構成することによって、図柄の表示領域を無端ベルトの幅寸法にまで広げることができ、デザイン性に資することができるパチンコ機等の遊技装置およびその図柄表示装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は、ベース板に透孔を形成し、該透孔を介して前面より見える部位に図柄表示装置を備えたパチンコ機等の遊技装置において、前記図柄表示装置を、外周部の一部に所定間隔離間されて複数の係合凹部あるいは係合孔が形成された駆動ドラムと、この駆動ドラムに従動することができる従動ドラムと、この従動ドラムと前記駆動ドラムにかけ渡された、前記駆動ドラムの係合凹部あるいは係合孔と係合する係合突起が内周部に形成された、外周部に図柄表示部を有する無端ベルトと、前記駆動ドラムを回転駆動させる駆動装置とでパチンコ機等の遊技装置を構成している。
【０００７】
また、本発明は、外周部の一部に所定間隔離間されて複数の係合凹部あるいは係合孔が形成された駆動ドラムと、この駆動ドラムに従動することができる従動ドラムと、この従動ドラムと前記駆動ドラムにかけ渡された、前記駆動ドラムの係合凹部あるいは係合孔と係合する係合突起が内周部に形成された、外周部に図柄表示部を有する無端ベルトと、前記駆動ドラムを回転駆動させる駆動装置とでパチンコ機等の遊技装置の図柄表示装置を構成している。
【発明の効果】
【０００８】
以上の構成より、本発明にあっては次に列挙する効果が得られる。
【０００９】
（１）ベース板に透孔を形成し、該透孔を介して前面より見える部位に図柄表示装置を備えたパチンコ機等の遊技装置において、前記図柄表示装置を、外周部の一部に所定間隔離間されて複数の係合凹部あるいは係合孔が形成された駆動ドラムと、この駆動ドラムに従動することができる従動ドラムと、この従動ドラムと前記駆動ドラムにかけ渡された、前記駆動ドラムの係合凹部あるいは係合孔と係合する係合突起が内周部に形成された、外周部に図柄表示部を有する無端ベルトと、前記駆動ドラムを回転駆動させる駆動装置とで構成されているので、図柄の表示領域を無端ベルトの幅寸法にまで広げることができる。
したがって、従来の無端ベルトに形成された係合孔による視覚性が害されるという不具合や、図柄の表示領域が狭くなる等の不具合を根本的に改善することができる。
【００１０】
（２）前記（１）によって、図柄の表示領域を無端ベルトの幅寸法にまで広げることができるので、図柄を効果的に表示することができる。
したがって、デザイン性を向上させることができる。
【００１１】
（３）前記（１）によって、駆動ドラムの係合凹部あるいは係合孔と無端ベルトの係合突起とを係合させて図柄を回転表示させるので、無端ベルトの停止位置のズレを防止することができるとともに、従来において示唆されていた、駆動ドラムの係合突起が当該駆動ドラムの回転動力に伴って、無端ベルトの係合孔を破損させてしまうという不具合を確実に回避させることができる。
【００１２】
（４）前記（１）によって、構造が簡単であるので、容易に製造することができる。
【００１３】
（５）請求項２、４も前記（１）〜（４）と同様の効果が得られるとともに、図柄表示装置を異なる表示に変えることができる。
したがって、新台に入れ替えたと同様の効果が得られ、経済的に使用することができる。
【００１４】
（６）請求項３も前記（１）〜（４）と同様の効果が得られる。
【００１５】
（７）請求項５も前記（１）〜（４）と同様の効果が得られるとともに、無端ベルトの係合突起は、内周部の一側部あるいは一側部寄りの部位に所定間隔離間されて形成されているので、図柄表示装置が図柄表示部の背面部よりバックライトで照射されて発光する構成のものであれば、前記無端ベルトの回転状態と相俟って、当該無端ベルトの幅寸法において効果的な発光状態を得ることができる。
【発明を実施するための最良の形態】
【００１６】
以下、図面に示す本発明を実施するための最良の形態により、本発明を詳細に説明する。
【００１７】
図１ないし図８に示す本発明を実施するための最良の第１の形態において、１は、パチンコ機として使用される本発明の遊技装置で、この遊技装置１はベース板２に形成された透孔３より見えるように設置された図柄表示装置４以外は、従来のパチンコ機と同様の構成が使用されている。
【００１８】
前記図柄表示装置４は、前記ベース板２の透孔３部の裏面の周縁部に取付けられた内方に透孔５を形成したカバー体６と、このカバー体６の裏面部に取付けられたケース体７と、このケース体７内に収納され、前方部が前記カバー体６の透孔５より外方に突出して取付けられた、外周部の一部、本形態では一側部寄りの部位に所定間隔離間されて複数の係合凹部あるいは係合孔、本形態では係合凹部８が形成された、透光性を有するプラスチック材で形成された駆動ドラム９、９、９、この駆動ドラム９、９、９に従動することができる、前記駆動ドラム９と同じ材質で形成された、係合凹部８を有する従動ドラム１０、１０、１０、この従動ドラム１０、１０、１０と前記駆動ドラム９、９、９にそれぞれかけ渡された、前記駆動ドラム９および従動ドラム１０の係合凹部８と係合する、透光性のシリコンゴム材で形成された係合突起１１が内周部に形成された、外周部に図柄表示部１２を有する透光性を有するＦＢＴフィルム等で形成された無端ベルト１３、１３、１３、前記駆動ドラム９、９、９を回転駆動させる、ステッピングモータ、パルスモータ等を用いた駆動装置１４、１４、１４とを備えたスロット装置１５と、前記無端ベルト１３、１３、１３の図柄表示部１２の背面部に配設されたバックライト１６、１６、１６と、前記スロット装置１５、１５、１５の両側部に配設された円盤状の側部カバー板１７、１７とで構成されている。
【００１９】
上記構成の遊技装置１は、ベース板２の透孔３より、図１に示すように図柄表示装置４のスロット装置１５が見えるように位置させて使用するこことができる。この場合、無端ベルト１３の係合突起１１と駆動ドラム９および従動ドラム１０の係合凹部８とを係合させて回転動させるので、図柄表示部１２が無端ベルト１３の幅寸法において効果的に表示される。
【００２０】
また、前記無端ベルト１３の内周部に形成された係合突起１１は、前記駆動ドラム９および従動ドラム１０の係合凹部８と対応する位置、すなわち、内周部の一側部寄りの部位に所定間隔離間されて形成されているので、図柄表示部１２の背面部よりバックライト１６で照射されると、当該無端ベルト１３の回転状態と相俟って、無端ベルト１３の幅寸法において効果的な発光状態を得ることができる。
{発明を実施するための異なる形態}
【００２１】
次に、図９ないし図１９に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２２】
図９ないし図１４に示す本発明を実施するための第２の形態において、前記本発明を実施するための最良の第１の形態と主に異なる点は、バックライト１６を備えないとともに、外周部の両側部寄りの部位に所定間隔離間されて複数の係合孔１８が形成された、プラスチック材で形成された駆動ドラム９Ａ、９Ａ、９Ａと、この駆動ドラム９Ａ、９Ａ、９Ａに従動することができる、係合孔１８が形成された従動ドラム１０Ａ、１０Ａ、１０Ａと、この従動ドラム１０Ａ、１０Ａ、１０Ａと前記駆動ドラム９Ａ、９Ａ、９Ａにかけ渡された、前記駆動ドラム９Ａおよび従動ドラム１０Ａの係合孔１８と係合する、透光性を有しないシリコンゴム材で形成された係合突起１１Ａが内周部に形成された、外周部に図柄表示部１２を有する無端ベルト１３Ａとを備えたスロット装置１５Ａを用いた点で、このようなスロット装置１５Ａを備えた図柄表示装置４Ａを構成した遊技装置１Ａにしても前記本発明を実施するための最良の第１の形態と同様の作用効果が得られる。
【００２３】
図１５ないし図１９に示す本発明を実施するための第３の形態において、前記本発明を実施するための最良の第１の形態と主に異なる点は、ベース板２の透孔３の裏面に固定された一対の軸受部材１９、１９の軸受孔２０、２０に回転可能に支持されて取付けられた、前面と裏面の大きさがほぼ該透孔３の大きさと同じ大きさで、平面および底面の大きさがほぼ透孔３の半分の大きさに形成された回転体２１と、この回転体２１の前面が前記透孔３に位置すると、該透孔３を介して見ることができるとともに、該回転体２１の平面あるいは底面が前記透孔３に位置すると該透孔３を介して上面部あるいは下面部を見ることができるように、該回転体２１の前面に取付けられたスロット装置１５と、前記回転体２１の平面あるいは底面のいずれかが前記透孔３に位置すると、該透孔３を介して見ることができるように取付けられた、前記スロット装置１５とは異なる第２のスロット装置２２と、前記回転体２１の裏面が前記透孔３に位置すると、該透孔３を介して見ることができるように取付けられた、前記スロット装置１５および前記第２のスロット装置２２とは異なる第３のスロット装置２３と、前記回転体２１をあらかじめ設定された部位に回転させるステッピングモータ等を用いた回転装置２４とで図柄表示措置４Ｂを構成した点で、このような図柄表示装置４Ｂを用いた遊技装置１Ｂにしても前記本発明を実施するための最良の第１の形態と同様の作用効果が得られるとともに、図柄表示装置４Ｂを回転装置２４による３方向の切替によって異なる表示に変えることができるので、新台に入れ替えたと同様の効果が得られ、経済的に使用することができる。
【００２４】
なお、前記本発明を実施するための各形態において、駆動ドラム９（９Ａ）の係合凹部８あるいは係合孔１８と、無端ベルト１３（１３Ａ）に形成された係合突起１１（１１Ａ）は、それぞれ各部材の一側部寄りの部位あるいは両側部寄りの部位に形成されたものについて説明したが、本発明はこれに限らず、一側部あるいは両端部にそれぞれ形成されるように構成したり、中央部等にそれぞれ形成されるように構成してもよい。
【００２５】
また、前記本発明を実施するための各形態において、係合突起１１（１１Ａ）は、無端ベルト１３（１３Ａ）と別材質のもので形成したものについて説明したが、本発明はこれに限らず、当該無端ベルト１３（１３Ａ）と同じ材質で構成ししてもよい。
【００２６】
さらに、前記本発明を実施するための各形態において、駆動ドラム９（９Ａ）および従動ドラム１０（１０Ａ）に係合凹部８あるいは係合孔１８をそれぞれ形成したものについて説明したが、本発明はこれに限らず、駆動ドラム９（９Ａ）のみに係合凹部８あるいは係合孔１８を形成したもので構成してもよい。
【産業上の利用可能性】
【００２７】
本発明はパチンコ機等の遊技装置やその図柄表示装置を生産する産業で利用される。
【図面の簡単な説明】
【００２８】
【図１】本発明を実施するための最良の第１の形態の遊技装置の正面図。
【図２】本発明を実施するための最良の第１の形態の図柄表示装置の斜視図。
【図３】図２の３−３線に沿う一部破断面図。
【図４】本発明を実施するための最良の第１の形態の駆動ドラムの説明図。
【図５】本発明を実施するための最良の第１の形態の従動ドラムの説明図。
【図６】本発明を実施するための最良の第１の形態の無端ベルトの展開図。
【図７】本発明を実施するための最良の第１の形態の係合突起の説明図。
【図８】図３の８−８線に沿う拡大断面図。
【図９】本発明を実施するための第２の形態の遊技装置の正面図。
【図１０】本発明を実施するための第２の形態の図柄表示装置の斜視図。
【図１１】本発明を実施するための第２の形態の駆動ドラムの説明図。
【図１２】本発明を実施するための第２の形態の従動ドラムの説明図。
【図１３】本発明を実施するための第２の形態の無端ベルトの展開図。
【図１４】係合孔と係合突起の係合状態を示す要部説明図。
【図１５】本発明を実施するための第３の形態の遊技装置の正面図。
【図１６】図柄表示装置の取付け状態を示した一部破断背面図。
【図１７】図１６の１７−１７線に沿う拡大断面図。
【図１８】第２のスロット装置を前面に位置させた遊技装置の正面図。
【図１９】第３のスロット装置を前面に位置させた遊技装置の正面図。
【符号の説明】
【００２９】
１、１Ａ、１Ｂ：遊技装置、
２：ベース板、              ３：透孔、
４、４Ａ、４Ｂ：図柄表示装置、
５：透孔、                  ６：カバー体、
７：ケース体、              ８：係合凹部、
９、９Ａ：駆動ドラム、      １０、１０Ａ：従動ドラム、
１１、１１Ａ：係合突起、    １２：図柄表示部、
１３、１３Ａ：無端ベルト、  １４：駆動装置、
１５、１５Ａ：スロット装置、
１６：バックライト、        １７：側部カバー板、
１８：係合孔、              １９：軸部材、
２０：軸受孔、              ２１：回転体、
２２：第２のスロット装置、  ２３：第３のスロット装置、  
２４：回転装置。  
【図１】
2005176999.tif 000003
【図２】
2005176999.tif 000004
【図３】
2005176999.tif 000005
【図４】
2005176999.tif 000006
【図５】
2005176999.tif 000007
【図６】
2005176999.tif 000008
【図７】
2005176999.tif 000009
【図８】
2005176999.tif 000010
【図９】
2005176999.tif 000011
【図１０】
2005176999.tif 000012
【図１１】
2005176999.tif 000013
【図１２】
2005176999.tif 000014
【図１３】
2005176999.tif 000015
【図１４】
2005176999.tif 000016
【図１５】
2005176999.tif 000017
【図１６】
2005176999.tif 000018
【図１７】
2005176999.tif 000019
【図１８】
2005176999.tif 000020
【図１９】
2005176999.tif 000021